(57)【特許請求の範囲】
【請求項１】
投稿文とその投稿者のアカウントとを公開するブログサイトサーバと、
閲覧者によって操作されると共に加入者識別子が付与された端末と、
前記端末からブログサイトサーバへアクセスした多数のＵＲＬ(Uniform Resource Locator)を収集する通信事業設備装置と
を有するシステムにおける識別方法であって、
前記システムは、前記加入者識別子と前記アカウントとを関連付ける識別サーバを更に有し、
前記識別サーバが、
アクセスされたＵＲＬ毎に、そのアクセス元の端末の加入者識別子が対応付けられたアクセス履歴情報を、前記通信事業設備装置から収集する第１のステップと、
前記アクセス履歴情報の中で、前記ブログサイトサーバに対する閲覧者自らの投稿文ライン又はマイページでのみ実行可能なコマンドを含む第ｎ番目のＵＲＬを抽出する第２のステップと、
前記コマンドを含む第ｎ番目のＵＲＬよりも１つ前に実行された第ｎ−１番目のＵＲＬを抽出する第３のステップと、
第ｎ番目のＵＲＬ又は第ｎ−１番目のＵＲＬに含まれるアカウントと、そのＵＲＬに対応付けられた加入者識別子とを関連付ける第４のステップと
を有することを特徴とする識別方法。
【請求項２】
第２のステップは、閲覧者自らの投稿文ラインでのみ実行可能なコマンドとして「削除コマンド」を含む第ｎ番目のＵＲＬを抽出し、
第４のステップについて、第ｎ−１番目のＵＲＬに含まれるアカウントを、そのＵＲＬに対応付けられた加入者識別子に関連付ける
ことを特徴とする請求項１に記載の識別方法。
【請求項３】
前記ブログサイトサーバは、twitter（登録商標）のようなミニブログサイトサーバであり、
前記削除コマンドは、"/destroy"である
ことを特徴とする請求項２に記載の識別方法。
【請求項４】
第２のステップについて、閲覧者自らのマイページでのみ実行可能なコマンドとして、当該閲覧者がフォローしているアカウントの表示コマンド、又は、当該閲覧者をフォローしているアカウントの表示コマンド、を含む第ｎ番目のＵＲＬを抽出し、
第４のステップについて、第ｎ−１番目のＵＲＬに、当該閲覧者自らのホームを表すコマンドを含む場合にのみ、第ｎ番目のＵＲＬに含まれるアカウントを、そのＵＲＬへアクセスした当該端末の加入者識別子に関連付ける
ことを特徴とする請求項１に記載の識別方法。
【請求項５】
前記ブログサイトサーバは、twitter（登録商標）のようなミニブログサイトサーバであり、
当該閲覧者がフォローしているアカウントの表示コマンドは、"/following"であり、
当該閲覧者をフォローしているアカウントの表示コマンドは、"/follower"であり、
当該閲覧者自らのホームを表すコマンドは、"/home"である
ことを特徴とする請求項４に記載の識別方法。
【請求項６】
前記識別サーバが、
前記ブログサイトサーバから、第４のステップにおける前記アカウントに基づく投稿文を収集する第５のステップと、
第５のステップによって収集された前記投稿文は、第４のステップにおける前記アカウントに関連付けられた当該加入者識別子に基づくユーザによって投稿されたものであると関連付ける第６のステップと
を更に有することを特徴とする請求項１から５のいずれか１項に記載の識別方法。
【請求項７】
投稿文とその投稿者のアカウントとを公開するブログサイトサーバと、
閲覧者によって操作されると共に加入者識別子が付与された端末と、
前記端末からブログサイトサーバへアクセスした多数のＵＲＬ(Uniform Resource Locator)を収集する通信事業設備装置と
にネットワークを介して接続された識別サーバであって、
前記識別サーバは、前記加入者識別子と前記アカウントとを関連付けるものであり、
アクセスされたＵＲＬ毎に、そのアクセス元の端末の加入者識別子が対応付けられたアクセス履歴情報を、前記通信事業設備装置から収集するアクセス履歴収集手段と、
前記アクセス履歴情報の中で、前記ブログサイトサーバに対する閲覧者自らの投稿文ライン又はマイページでのみ実行可能なコマンドを含む第ｎ番目のＵＲＬを抽出する第１のＵＲＬ抽出手段と、
前記コマンドを含む第ｎ番目のＵＲＬよりも１つ前に実行された第ｎ−１番目のＵＲＬを抽出する第２のＵＲＬ抽出手段と、
第ｎ番目のＵＲＬ又は第ｎ−１番目のＵＲＬに含まれるアカウントと、そのＵＲＬに対応付けられた加入者識別子とを関連付けるアカウント関連付け手段と
を有することを特徴とする識別サーバ。
【請求項８】
第１のＵＲＬ抽出手段は、閲覧者自らの投稿文ラインでのみ実行可能なコマンドとして「削除コマンド」を含む第ｎ番目のＵＲＬを抽出し、
アカウント関連付け手段は、第ｎ−１番目のＵＲＬに含まれるアカウントを、そのＵＲＬに対応付けられた加入者識別子に関連付ける
ことを特徴とする請求項７に記載の識別サーバ。
【請求項９】
前記ブログサイトサーバは、twitter（登録商標）のようなミニブログサイトサーバであり、
前記削除コマンドは、"/destroy"である
ことを特徴とする請求項８に記載の識別サーバ。
【請求項１０】
第１のＵＲＬ抽出手段は、閲覧者自らのマイページでのみ実行可能なコマンドとして、当該閲覧者がフォローしているアカウントの表示コマンド、又は、当該閲覧者をフォローしているアカウントの表示コマンド、を含む第ｎ番目のＵＲＬを抽出し、
前記アカウント関連付け手段は、第ｎ−１番目のＵＲＬに、当該閲覧者自らのホームを表すコマンドを含む場合にのみ、第ｎ番目のＵＲＬに含まれるアカウントを、そのＵＲＬへアクセスした当該端末の加入者識別子に関連付ける
ことを特徴とする請求項７に記載の識別サーバ。
【請求項１１】
前記ブログサイトサーバは、twitter（登録商標）のようなミニブログサイトサーバであり、
当該閲覧者がフォローしているアカウントの表示コマンドは、"/following"であり、
当該閲覧者をフォローしているアカウントの表示コマンドは、"/follower"であり、
当該閲覧者自らのホームを表すコマンドは、"/home"である
ことを特徴とする請求項１０に記載の識別サーバ。
【請求項１２】
前記ブログサイトサーバから、前記アカウント関連付け手段における前記アカウントに基づく投稿文を収集する投稿文収集手段と、
前記投稿文収集手段によって収集された前記投稿文は、前記アカウント関連付け手段における前記アカウントに関連付けられた当該加入者識別子に基づくユーザによって投稿されたものであると関連付ける投稿文関連付け手段と
を更に有することを特徴とする請求項７から１１のいずれか１項に記載の識別サーバ。
【請求項１３】
投稿文とその投稿者のアカウントとを公開するブログサイトサーバと、
閲覧者によって操作されると共に加入者識別子が付与された端末と、
前記端末からブログサイトサーバへアクセスした多数のＵＲＬ(Uniform Resource Locator)を収集する通信事業設備装置と
にネットワークを介して接続されたサーバに搭載されたコンピュータを機能させるプログラムであって、
前記識別サーバは、前記加入者識別子と前記アカウントとを関連付けるものであり、
アクセスされたＵＲＬ毎に、そのアクセス元の端末の加入者識別子が対応付けられたアクセス履歴情報を、前記通信事業設備装置から収集するアクセス履歴収集手段と、
前記アクセス履歴情報の中で、前記ブログサイトサーバに対する閲覧者自らの投稿文ライン又はマイページでのみ実行可能なコマンドを含む第ｎ番目のＵＲＬを抽出する第１のＵＲＬ抽出手段と、
前記コマンドを含む第ｎ番目のＵＲＬよりも１つ前に実行された第ｎ−１番目のＵＲＬを抽出する第２のＵＲＬ抽出手段と、
第ｎ番目のＵＲＬ又は第ｎ−１番目のＵＲＬに含まれるアカウントと、そのＵＲＬに対応付けられた加入者識別子とを関連付けるアカウント関連付け手段と
してコンピュータを機能させることを特徴とするサーバ用のプログラム。
【発明の詳細な説明】
【技術分野】
【０００１】
本発明は、ユーザ操作に基づく端末と、そのユーザの投稿文を公開するブログサイトサーバとが、ネットワークを介して接続されたシステムの技術に関する。
【背景技術】
【０００２】
端末からサーバへのアクセス履歴情報を取得することによって、当該端末を操作するユーザの興味の動向を知ることでき、マーケティング活動に役立てることができる。特に、ユーザ毎に、最適な広告情報やレコメンド情報を提供することができる。
【０００３】
従来、ＣＧＩ(Common
Gateway Interface)を提供するＷｅｂサーバは、クライアント端末で起動するＷｅｂブラウザからの要求に基づいて、アクセス履歴情報を蓄積することができる。しかしながら、この技術によれば、ページにアクセスする端末を特定することまではできず、その端末を操作するユーザを特定することもできない。
【０００４】
これに対し、情報蓄積サイトサーバと予め契約した端末について、その端末のアクセス履歴情報を自動的に情報蓄積サイトサーバが収集し管理する技術がある（例えば特許文献１参照）。また、端末から様々な媒体への異なるアクセス履歴情報を、所定条件に基づいて一括管理する技術もある（例えば特許文献２参照）。
【０００５】
一方で、近年、インターネットを介して、ブログ(Web log)やミニブログ(mini Web log)（例えばtwitter（登録商標）、facebook（登録商標）、mixi（登録商標）等）のようなサイトに対して、不特定多数の第三者からの投稿文が、活発に発信されている。これらの投稿文には、ユーザの感情表現や消費動向が現れ始めており、大量の投稿文に対する分析が注目されている。これら投稿文には、ユーザを特定するアカウントが付与されており、ユーザの固有性が確保されている。但し、そのユーザのプロファイルは取得できるものの、そのユーザ自身を特定することまではできない。
【０００６】
また、ブログサイトに対して投稿文を送信する端末は、パーソナルコンピュータに限られず、携帯電話機やスマートフォンであってもよい。このような携帯端末は、例えば携帯電話網のような広域通信事業者網を介して、ブログサイトサーバと通信することができる。このように、広域通信事業者網に接続する端末には、そのユーザを特定する加入者識別子（ＩＤ：IDentifier、例えば携帯電話機の固有識別子）が付与されている。
【先行技術文献】
【特許文献】
【０００７】
【特許文献１】特開２００１−３４４１９６号公報
【特許文献２】特開２００５−０２５６１７号公報
【発明の概要】
【発明が解決しようとする課題】
【０００８】
通信事業者としては、ブログサイトサーバの投稿文について、その投稿文を送信した端末のユーザを特定したいとする要求もある。通信事業者は、端末の加入者ＩＤを取得できるために、その端末から発信される投稿文の内容を分析したいと考える。これが実現できれば、通信事業者としては、そのユーザが所望するサービスを、そのユーザのみに直接的に提供することができる。
【０００９】
一般に、端末からブログサイトサーバへアクセスするＵＲＬ(Uniform Resource Locator)には、アクセス元のユーザのアカウントが含まれる。しかしながら、その通信内容を秘匿するべく、ユーザ情報及びアクセス内容を指定する情報部分は、一般的に暗号化されている。そのために、アクセス履歴の各ＵＲＬについて、いずれのアカウントのユーザがアクセスしたものであるかを知ることはできない。また、ブログサイトサーバへアクセスするアプリケーションによっては、ＵＲＬの表現記述が異なり、全てのブログサイトサーバのＵＲＬの記述が一意に表現されることはない。
【００１０】
例えばtwitterのようなミニブログサーバによれば、ユーザが、「他ユーザのページ」や「個々の書き込み」へアクセスした場合、「どのユーザのページ」や「どの投稿」にアクセスしたかを明示的に特定することはできる。しかしながら、いずれのアカウントのユーザがアクセスしたものであるかを知ることはできない。その理由としては、ユーザが「ユーザ自らの投稿文」や「ユーザ自らのページ（マイページ）」にアクセスした場合であっても、「他ユーザの個々の投稿文」や「他ユーザのページ」にアクセスした場合と同様に扱われるためである。
【００１１】
結果として、通信事業者としては、端末の加入者ＩＤと、ブログサイトサーバへアクセスしたＵＲＬとは取得できるが、そのブログサイトサーバにおけるユーザのアカウントを特定することまではできない。
【００１２】
そこで、本発明は、ブログサイトサーバにおけるユーザのアカウントと、そのユーザの端末の加入者識別子とを関連付ける（同定する）ことができる識別方法、識別サーバ及びプログラムを提供することを目的とする。
【課題を解決するための手段】
【００１３】
本発明によれば、
投稿文とその投稿者のアカウントとを公開するブログサイトサーバと、
閲覧者によって操作されると共に加入者識別子が付与された端末と、
端末からブログサイトサーバへアクセスした多数のＵＲＬを収集する通信事業設備装置と
を有するシステムにおける識別方法であって、
システムは、加入者識別子とアカウントとを関連付ける識別サーバを更に有し、
識別サーバが、
アクセスされたＵＲＬ毎に、そのアクセス元の端末の加入者識別子が対応付けられたアクセス履歴情報を、通信事業設備装置から収集する第１のステップと、
アクセス履歴情報の中で、ブログサイトサーバに対する閲覧者自らの投稿文ライン又はマイページでのみ実行可能なコマンドを含む第ｎ番目のＵＲＬを抽出する第２のステップと、
コマンドを含む第ｎ番目のＵＲＬよりも１つ前に実行された第ｎ−１番目のＵＲＬを抽出する第３のステップと、
第ｎ番目のＵＲＬ又は第ｎ−１番目のＵＲＬに含まれるアカウントと、そのＵＲＬに対応付けられた加入者識別子とを関連付ける第４のステップと
を有することを特徴とする。
【００１４】
本発明の識別方法における他の実施形態によれば、
第２のステップは、閲覧者自らの投稿文ラインでのみ実行可能なコマンドとして「削除コマンド」を含む第ｎ番目のＵＲＬを抽出し、
第４のステップについて、第ｎ−１番目のＵＲＬに含まれるアカウントを、そのＵＲＬに対応付けられた加入者識別子に関連付けることも好ましい。
【００１５】
本発明の識別方法における他の実施形態によれば、
ブログサイトサーバは、twitter（登録商標）のようなミニブログサイトサーバであり、
削除コマンドは、"/destroy"であることも好ましい。
【００１６】
本発明の識別方法における他の実施形態によれば、
第２のステップについて、閲覧者自らのマイページでのみ実行可能なコマンドとして、当該閲覧者がフォローしているアカウントの表示コマンド、又は、当該閲覧者をフォローしているアカウントの表示コマンド、を含む第ｎ番目のＵＲＬを抽出し、
第４のステップについて、第ｎ−１番目のＵＲＬに、当該閲覧者自らのホームを表すコマンドを含む場合にのみ、第ｎ番目のＵＲＬに含まれるアカウントを、そのＵＲＬへアクセスした当該端末の加入者識別子に関連付けることも好ましい。
【００１７】
本発明の識別方法における他の実施形態によれば、
ブログサイトサーバは、twitter（登録商標）のようなミニブログサイトサーバであり、
当該閲覧者がフォローしているアカウントの表示コマンドは、"/following"であり、
当該閲覧者をフォローしているアカウントの表示コマンドは、"/follower"であり、
当該閲覧者自らのホームを表すコマンドは、"/home"であることも好ましい。
【００１８】
本発明の識別方法における他の実施形態によれば、
識別サーバが、
ブログサイトサーバから、第４のステップにおけるアカウントに基づく投稿文を収集する第５のステップと、
第５のステップによって収集された投稿文は、第４のステップにおけるアカウントに関連付けられた当該加入者識別子に基づくユーザによって投稿されたものであると関連付ける第６のステップと
を更に有することも好ましい。
【００１９】
本発明によれば、
投稿文とその投稿者のアカウントとを公開するブログサイトサーバと、
閲覧者によって操作されると共に加入者識別子が付与された端末と、
端末からブログサイトサーバへアクセスした多数のＵＲＬを収集する通信事業設備装置と
にネットワークを介して接続された識別サーバであって、
識別サーバは、加入者識別子とアカウントとを関連付けるものであり、
アクセスされたＵＲＬ毎に、そのアクセス元の端末の加入者識別子が対応付けられたアクセス履歴情報を、通信事業設備装置から収集するアクセス履歴収集手段と、
アクセス履歴情報の中で、ブログサイトサーバに対する閲覧者自らの投稿文ライン又はマイページでのみ実行可能なコマンドを含む第ｎ番目のＵＲＬを抽出する第１のＵＲＬ抽出手段と、
コマンドを含む第ｎ番目のＵＲＬよりも１つ前に実行された第ｎ−１番目のＵＲＬを抽出する第２のＵＲＬ抽出手段と、
第ｎ番目のＵＲＬ又は第ｎ−１番目のＵＲＬに含まれるアカウントと、そのＵＲＬに対応付けられた加入者識別子とを関連付けるアカウント関連付け手段と
を有することを特徴とする。
【００２０】
本発明の識別サーバにおける他の実施形態によれば、
第１のＵＲＬ抽出手段は、閲覧者自らの投稿文ラインでのみ実行可能なコマンドとして「削除コマンド」を含む第ｎ番目のＵＲＬを抽出し、
アカウント関連付け手段は、第ｎ−１番目のＵＲＬに含まれるアカウントを、そのＵＲＬに対応付けられた加入者識別子に関連付けることも好ましい。
【００２１】
本発明の識別サーバにおける他の実施形態によれば、
ブログサイトサーバは、twitter（登録商標）のようなミニブログサイトサーバであり、
削除コマンドは、"/destroy"であることも好ましい。
【００２２】
本発明の識別サーバにおける他の実施形態によれば、
第１のＵＲＬ抽出手段は、閲覧者自らのマイページでのみ実行可能なコマンドとして、当該閲覧者がフォローしているアカウントの表示コマンド、又は、当該閲覧者をフォローしているアカウントの表示コマンド、を含む第ｎ番目のＵＲＬを抽出し、
アカウント関連付け手段は、第ｎ−１番目のＵＲＬに、当該閲覧者自らのホームを表すコマンドを含む場合にのみ、第ｎ番目のＵＲＬに含まれるアカウントを、そのＵＲＬへアクセスした当該端末の加入者識別子に関連付けることも好ましい。
【００２３】
本発明の識別サーバにおける他の実施形態によれば、
ブログサイトサーバは、twitter（登録商標）のようなミニブログサイトサーバであり、
当該閲覧者がフォローしているアカウントの表示コマンドは、"/following"であり、
当該閲覧者をフォローしているアカウントの表示コマンドは、"/follower"であり、
当該閲覧者自らのホームを表すコマンドは、"/home"であることも好ましい。
【００２４】
本発明の識別サーバにおける他の実施形態によれば、
ブログサイトサーバから、アカウント関連付け手段におけるアカウントに基づく投稿文を収集する投稿文収集手段と、
投稿文収集手段によって収集された投稿文は、アカウント関連付け手段におけるアカウントに関連付けられた当該加入者識別子に基づくユーザによって投稿されたものであると関連付ける投稿文関連付け手段と
を更に有することも好ましい。
【００２５】
本発明によれば、
投稿文とその投稿者のアカウントとを公開するブログサイトサーバと、
閲覧者によって操作されると共に加入者識別子が付与された端末と、
端末からブログサイトサーバへアクセスした多数のＵＲＬを収集する通信事業設備装置と
にネットワークを介して接続されたサーバに搭載されたコンピュータを機能させるプログラムであって、
識別サーバは、加入者識別子とアカウントとを関連付けるものであり、
アクセスされたＵＲＬ毎に、そのアクセス元の端末の加入者識別子が対応付けられたアクセス履歴情報を、通信事業設備装置から収集するアクセス履歴収集手段と、
アクセス履歴情報の中で、ブログサイトサーバに対する閲覧者自らの投稿文ライン又はマイページでのみ実行可能なコマンドを含む第ｎ番目のＵＲＬを抽出する第１のＵＲＬ抽出手段と、
コマンドを含む第ｎ番目のＵＲＬよりも１つ前に実行された第ｎ−１番目のＵＲＬを抽出する第２のＵＲＬ抽出手段と、
第ｎ番目のＵＲＬ又は第ｎ−１番目のＵＲＬに含まれるアカウントと、そのＵＲＬに対応付けられた加入者識別子とを関連付けるアカウント関連付け手段と
してコンピュータを機能させることを特徴とする。
【発明の効果】
【００２６】
本発明の識別方法、識別サーバ及びプログラムによれば、ブログサイトサーバにおけるユーザのアカウントと、そのユーザの端末の加入者識別子とを関連付ける（同定する）ことができる。そのユーザの投稿文の内容を分析することによって、ユーザ所望のサービスを、そのユーザの端末へ向けて直接的に提供することができる。
【図面の簡単な説明】
【００２７】
【図１】本発明におけるシステム構成図である。
【図２】本発明における第１のシーケンス図である。
【図３】本発明におけるアクセス履歴情報及び削除コマンドの説明図である。
【図４】本発明における第２のシーケンス図である。
【図５】本発明におけるアクセス履歴情報及び表示コマンドの第１の説明図である。
【図６】本発明におけるアクセス履歴情報及び表示コマンドの第２の説明図である。
【図７】本発明における識別サーバの機能構成図である。
【発明を実施するための形態】
【００２８】
以下、本発明の実施の形態について、図面を用いて詳細に説明する。
【００２９】
図１は、本発明におけるシステム構成図である。
【００３０】
図１のシステムによれば、端末２は、通信事業者網に接続し、インターネットを介して、ブログサイトサーバ３と通信することができる。端末２は、ユーザによって操作される例えば携帯電話機、スマートフォン又はパーソナルコンピュータであってもよい。ここで、各端末２は、通信事業者網に接続するための加入者識別子（ＩＤ：IDentifier）を有する。
【００３１】
また、通信事業者網には、通信事業設備装置４が配置されている。通信事業設備装置４は、端末２からブログサイトサーバ３へアクセスした多数のＵＲＬを収集する。また、通信事業設備装置４は、各端末２からの接続を、加入者ＩＤによって認識する。これによって、通信事業設備装置４は、端末２の加入者ＩＤと、アクセスされたＵＲＬとを対応付けた「アクセス履歴情報」を収集する。
【００３２】
ブログサイトサーバ３は、例えばtwitter（登録商標）のようなミニブログサイトサーバ、又は、facebook（登録商標）若しくはmixi（登録商標）のようなＳＮＳ(Social Networking Service)サーバである。ブログサイトサーバ３は、不特定多数の第三者からの投稿文を受信し、投稿文とその投稿者のアカウントとを公開する。投稿文には、投稿者を識別するアカウントが付与される。ブログサイトサーバ３は、ＡＰＩ(Application Programming Interface)を公開しており、様々なサービスを提供する。
【００３３】
端末２を操作するユーザ（閲覧者）は、通信事業者網及びインターネットを介して、ブログサイトサーバ３のブログサイトを閲覧することができる。また、端末２は、ユーザ操作に基づく投稿文を、ブログサイトサーバ３へ送信することもできる。その投稿文は、ブログサイトサーバ３によって公開される。
【００３４】
図１のシステムによれば、本発明における識別サーバ１が、インターネットに更に接続されている。識別サーバ１は、ブログサイトサーバ３におけるユーザのアカウントと、通信事業者網に接続する端末の加入者ＩＤとを関連付けるものである。識別サーバ１は、通信事業者網に接続された通信事業設備装置４から、アクセス履歴情報を受信する。また、識別サーバ１は、ブログサイトサーバ３とインターネットを介して通信することができる。
【００３５】
本発明によれば、ブログサイトサーバ３に対して、ユーザ（閲覧者）のみが操作できるコマンド（機能命令）に着目する。例えば以下の２つのコマンドがある。
［第１のコマンド］ブログサイトサーバに対する閲覧者自らの投稿文ラインでのみ実行可能なコマンド
：例えば「削除コマンド」
［第２のコマンド］ブログサイトサーバに対する閲覧者自らのマイページでのみ実行可能なコマンド
：例えば「当該閲覧者がフォローしているアカウントの表示コマンド」又は
「当該閲覧者をフォローしているアカウントの表示コマンド」
【００３６】
アクセス履歴のＵＲＬの中に、これらコマンドが検索された場合、そのコマンドを指示したアカウントと、そのＵＲＬを送信した端末の加入者ＩＤとを関連付けることができる。即ち、その加入者ＩＤの端末を操作するユーザと、そのアカウントのユーザとは、同一人物であると同定することができる。
【００３７】
［第１のコマンドに基づく実施形態］
図２は、本発明における第１のシーケンス図である。
図３は、本発明におけるアクセス履歴情報及び削除コマンドの説明図である。
【００３８】
（Ｓ２１）端末２は、ユーザ操作に基づいて通信事業者網に接続する。端末２には、通信事業者網から加入者ＩＤが付与されており、通信事業者網は、端末２からのアクセス毎に、加入者ＩＤと、アクセス先のブログサイトサーバ３のＵＲＬとを知ることができる。通信事業設備装置４は、端末２からアクセスされるＵＲＬ毎に、当該端末２の加入者ＩＤに対応付けたアクセス履歴情報を蓄積する。
【００３９】
（Ｓ２２）識別サーバ１は、アクセス履歴情報を、通信事業設備装置４から収集する。
【００４０】
ここで、アクセス履歴情報における、ミニブログサービスのタイムラインとの関係について、図３を用いて詳述する。図３のアクセス履歴情報は、加入者ＩＤ「12345678」の閲覧者（ユーザ）が、2011年7月25日の「12時00分05秒」〜「12時01分04秒」までにアクセスしたＵＲＬが表されている。このＵＲＬからも明らかなとおり、ユーザ情報の部分は暗号化されている。また、アクセス履歴情報の各ＵＲＬに応じて、タイムラインの表示も変わる。
【００４１】
（Ｓ２２１）http://twtr.jp/5c0861651f0d5/home
第１行目のＵＲＬによれば、ユーザ（閲覧者）本人のマイページのタイムラインの閲覧操作が表されている。このＵＲＬによれば、暗号化部分の後方に、自ユーザのページにアクセスしていることを示す「home」の表示が見える。これによって、図３のミニブログのタイムラインによれば、自ユーザ（本人）である「minamo」の投稿文と、他ユーザ（他人）である「maamin77」の投稿文とが表示される。
【００４２】
（Ｓ２２２）http://twtr.jp/5c0861651f0d5/user/minamo/status/80436542530781184
第２行目のＵＲＬによれば、自ユーザの「minamo」のページ内で、「80436542530781184」の投稿文に対する選択操作が表されている。図３によれば、この操作によって、上側破線枠内の投稿文が選択されている。このとき、投稿文の表示エリア内に、アイコンが現れる。選択された投稿文は、自ユーザである「minamo」のものであるため、「お気に入り」「返信」のアイコンに加えて、「削除」のアイコンも現れる。
【００４３】
（Ｓ２２３）http://twtr.jp/5c0861651f0d5/status/destroy/80436542530781184
第３行目のＵＲＬによれば、選択された投稿文に対して、「削除」のアイコンに対するクリック操作が表されている。このＵＲＬによれば、削除操作を表す「/destroy」コマンドが見える。
【００４４】
（Ｓ２２４）http://twtr.jp/5c0861651f0d5/status/destroy
第４行目のＵＲＬによれば、削除の確認表示が表されている。画面上には、「本当に削除しますか？  はい／いいえ」といったポップアップメッセージが表示される。ユーザが「はい」をクリックすることによって、選択された投稿文は削除される。
【００４５】
（Ｓ２２５）http://twtr.jp/5c0861651f0d5/user/minamo/status/80123442530783320
第５行目のＵＲＬによれば、自ユーザの「minamo」のページ内で、「80123442530783320」の投稿文に対する選択操作が表されている。図３によれば、この操作によって、下側破線枠内の投稿文が選択されている。このとき、Ｓ２２２と異なって、「削除」のアイコンは現れない。この投稿文は、他ユーザの「maamin77」によって投稿されたものであるために、自ユーザの「minamo」は、これを削除することができない。
【００４６】
ここで重要な点は、他ユーザの投稿文に対しては削除することができず、「/destroy」コマンドを使用できないことにある。即ち、「/destroy」コマンドが現れた場合には、そのページのユーザのアカウントと、その加入者ＩＤの端末を操作するユーザとは、同一人物であると同定できる。
【００４７】
図２に戻って、識別サーバ１が、図３のようなアクセス履歴情報に対して、どのように処理するかを説明する。
【００４８】
（Ｓ２３）識別サーバ１は、アクセス履歴情報の中で、ブログサイトサーバに対する閲覧者自らの投稿文ラインでのみ実行可能なコマンド、例えば削除コマンドである「destroy」を含む第ｎ番目のＵＲＬを抽出する。図３のアクセス履歴情報によれば、Ｓ２２３の第３行目のＵＲＬが抽出される。
http://twtr.jp/5c0861651f0d5/status/destroy/80436542530781184
【００４９】
（Ｓ２４）識別サーバ１は、削除コマンドを含む第ｎ番目のＵＲＬよりも１つ前に実行された第ｎ−１番目のＵＲＬを抽出する。図３のアクセス履歴情報によれば、Ｓ２２２の第２行目のＵＲＬが抽出される。
http://twtr.jp/5c0861651f0d5/user/minamo/status/80436542530781184
抽出されたＵＲＬには、ユーザのアカウント「minamo」が含まれている。
【００５０】
（Ｓ２５）識別サーバ１は、第ｎ−１番目のＵＲＬに含まれるアカウント「minamo」と、そのＵＲＬに対応付けられた加入者ＩＤ「12345678」とを関連付ける。即ち、加入者ＩＤ「12345678」の端末を操作するユーザは、アカウント「minamo」のユーザと同一人物であると同定する。
【００５１】
（Ｓ２６）また、他の実施形態として、識別サーバ１は、そのアカウント「minamo」に基づく投稿文を取得するべく、投稿文を検索するめの要求メッセージを、ブログサイトサーバ３へ送信する。
【００５２】
（Ｓ２７）これに対し、ブログサイトサーバ３は、そのアカウント「minamo」に基づく多数の投稿文を、識別サーバ１へ返信する。
【００５３】
（Ｓ２８）これによって、識別サーバ１によれば、取得した多数の投稿文は、そのアカウント「minamo」に関連付けられた加入者ＩＤ「12345678」の端末から送信されたものと認識できる。即ち、それた投稿文は、加入者ＩＤ「12345678」の端末を操作するユーザによって投稿されたものであると認識できる。
【００５４】
［第２のコマンドに基づく実施形態］
図４は、本発明における第２のシーケンス図である。
図５は、本発明におけるアクセス履歴情報及び表示コマンドの第１の説明図である。
【００５５】
第２の実施形態によれば、第１の実施形態における「削除コマンド」ではなく、「フォローリストの表示コマンド」又は「フォロワーリストの表示コマンド」を用いる。
【００５６】
「フォローリスト」（自分が他ユーザをフォローしている）とは、自分のタイムラインに、他ユーザの投稿文を表示させるように登録した他ユーザのアカウントのリストをいう。
「フォロワーリスト」（他ユーザが自分をフォローしている）とは、他ユーザ自らのタイムラインに、自分の投稿文を表示させるように登録してくれた他ユーザのアカウントのリストをいう。
【００５７】
一般に、他ユーザをフォローすることによって、そのフォローした相手に対して、フォローした旨が通知される。これに対し、他ユーザが自分に対してフォローを返してくれることによって、双方のタイムラインにお互いの投稿が表示されるようになる。多くのユーザは、何人かを「フォローしている」と同時に、何人かに「フォローされている」状態となっている。
【００５８】
ミニブログサービスによれば、非公開ユーザでない限り、どのユーザについても「フォローリスト」及び「フォロワーリスト」を閲覧できる。通常のミニブログサービスのアプリケーションでは、自ユーザの「フォローリスト」「フォロワーリスト」は、ログイン直後のマイページ（=home）から直接閲覧できる。これに対し、他ユーザの「フォローリスト」「フォロワーリスト」は、一旦、当該他ユーザのページに移動した後でなければ閲覧できない。
【００５９】
アクセス履歴情報では、自ユーザの「フォローリスト／フォロワーリストを閲覧する」場合も、他ユーザの「フォローリスト／フォロワーリストを閲覧する」場合と同様に扱われる。そのため、個々のアクセス履歴情報からユーザを特定することはできない。そこで、本発明の第２の実施形態によれば、閲覧者自らのマイページから直接的に「フォローリストの閲覧」「フォロワーリストの閲覧する」という操作が抽出できた場合のみ、その閲覧者のアカウントは、マイページのアカウントと一致すると認定できる。
【００６０】
（Ｓ４１）通信事業者網は、端末２からのアクセス毎に、加入者ＩＤと、アクセス先のブログサイトサーバ３のＵＲＬとを知ることができる。通信事業設備装置４は、端末２からアクセスされるＵＲＬ毎に、当該端末２の加入者ＩＤに対応付けたアクセス履歴情報を蓄積する。
【００６１】
（Ｓ４２）識別サーバ１は、アクセス履歴情報を、通信事業設備装置４から収集する。
【００６２】
ここで、アクセス履歴情報における、ミニブログサービスのタイムラインとの関係について、図５を用いて詳述する。
【００６３】
（Ｓ４２１）http://twtr.jp/5c0861651f0d5/home
第１行目のＵＲＬによれば、ユーザ（閲覧者）本人のマイページのタイムラインの閲覧操作が表されている。このＵＲＬによれば、暗号化部分の後方に、自ユーザのページにアクセスしていることを示す「home」の表示が見える。これによって、図５のタイムラインによれば、自ユーザである「minamo」の投稿文と、他ユーザである「maamin77」及び「shiro」の投稿文とが表示されている。
【００６４】
（Ｓ４２２）http://twtr.jp/5c0861651f0d5/user/minamo/following
第２行目のＵＲＬによれば、ユーザ「minamo」の「フォローリスト」に対する閲覧操作が表されている。この操作によって、図５によれば、「minamoのフォローリスト」が表示され、「minamo」がフォローしているユーザのアイコン及びプロフィールが表示される。
【００６５】
（Ｓ４２３）http://twtr.jp/5c0861651f0d5/home
第３行目のＵＲＬによれば、ユーザ（閲覧者）本人のマイページのタイムラインの閲覧操作が再び表されている。
【００６６】
（Ｓ４２４）http://twtr.jp/5c0861651f0d5/user/minamo/follower
第４行目のＵＲＬによれば、ユーザ「minamo」の「フォロワーリスト」に対する閲覧操作が表されている。この操作によって、図５によれば、「minamoのフォロワーリスト」が表示され、「minamo」をフォローしているユーザのアイコン及びプロフィールを閲覧できる。
【００６７】
（Ｓ４３）識別サーバ１は、アクセス履歴情報の中で、「フォローリスト」の表示コマンドである「/following」、又は、「フォロワーリスト」の表示コマンドである「/follower」を含む第ｎ番目のＵＲＬを抽出する。図５のアクセス履歴情報によれば、表中の第２行目及び第４行目にある以下のＵＲＬが抽出される。
http://twtr.jp/5c0861651f0d5/user/minamo/following
http://twtr.jp/5c0861651f0d5/user/minamo/follower
【００６８】
（Ｓ４４）識別サーバ１は、Ｓ４３のコマンドを含む第ｎ番目のＵＲＬよりも１つ前に実行された第ｎ−１番目のＵＲＬを抽出する。図５のアクセス履歴情報によれば、表中の第１行目及び第３行目にある以下のＵＲＬが抽出される。
http://twtr.jp/5c0861651f0d5/home/
【００６９】
（Ｓ４５）ここで、第ｎ−１番目のＵＲＬには、閲覧者（ユーザ）のマイページであることを示す「home」が含まれているか否かを判定する。第ｎ−１番目のＵＲＬに「home」が含まれていなければ、そのまま処理を終了する。
【００７０】
（Ｓ４６）一方で、第ｎ−１番目のＵＲＬに「home」が含まれている場合、マイページから直接的にリストを閲覧している。また、Ｓ４３で抽出された第ｎ番目のＵＲＬには、ユーザ「minamo」の「フォローリスト」又は「フォロワーリスト」に対する閲覧操作が含まれている。そうすると、ユーザ「minamo」自身が、ユーザ「minamo」の「フォローリスト」又は「フォロワーリスト」の表示コマンドを操作したと認められる。なぜなら、「フォローリスト」及び「フォロワーリスト」の表示コマンドは、閲覧したいユーザのページに移動しなければ実行できないからである。即ち、閲覧者自身の「フォローリスト」及び「フォロワーリスト」の表示コマンドは、閲覧者自らのマイページに移動しなければ実行できない。
【００７１】
これによって、識別サーバ１は、第ｎ番目のＵＲＬに含まれるアカウント「minamo」と、そのＵＲＬに対応付けられた加入者ＩＤ「12345678」とを関連付ける。即ち、加入者ＩＤ「12345678」の端末を操作するユーザは、アカウント「minamo」のユーザと同一人物であると同定する。
【００７２】
（Ｓ４７〜Ｓ４９）前述した図２のＳ２６〜Ｓ２８と全く同様である。
【００７３】
図６は、本発明におけるアクセス履歴情報及び表示コマンドの第２の説明図である。
【００７４】
図６によれば、図４及び図５のＳ４５によって、第ｎ−１番目のＵＲＬに「home」が含まれていない場合を表す。
【００７５】
（Ｓ４２５）http://twtr.jp/5c0861651f0d5/user/maamin77/status
第３行目のＵＲＬによれば、「maamin77」のページのタイムラインの閲覧操作が表されている。これによって、図６のタイムラインによれば、ユーザ「maamin77」の投稿文と、他ユーザである「kuma」の投稿文とが表示されている。
【００７６】
（Ｓ４２６）http://twtr.jp/5c0861651f0d5/user/maamin77/follower
第４行目のＵＲＬによれば、ユーザ「maamin77」の「フォロワーリスト」に対する閲覧操作が表されている。この操作によって、図６によれば、「maamin77のフォロワーリスト」が表示され、「maamin77」をフォローしているユーザのアイコン及びプロフィールを閲覧できる。
【００７７】
ここで、図６のＳ４２６によれば、図５のＳ４２２及びＳ４２４と比較して、１つ上の第ｎ−１番目のＵＲＬには、閲覧者自らのマイページであることを示す「/home」が含まれていない。「フォローリスト」及び「フォロワーリスト」の表示コマンドは、閲覧したいユーザのページに移動しなければ実行できない。従って、この場合、閲覧者は、ユーザ「maamin77」以外の者であると認定される。そのために、加入者ＩＤ「12345678」と、アカウント「maamin77」とを関連付けることはない。
【００７８】
図７は、本発明における識別サーバの機能構成図である。
【００７９】
図７によれば、識別サーバ１は、通信インタフェース部１０と、アクセス履歴収集部１１と、第１のＵＲＬ抽出部１２と、第２のＵＲＬ抽出部１３と、アカウント関連付け部１４と、投稿文検索部１５と、投稿文関連付け部１６とを有する。通信インタフェース部１０を除くこれら機能構成部は、サーバに搭載されたコンピュータを機能させるプログラムを実行することによって実現されるものであってもよい。
【００８０】
アクセス履歴収集部１１は、通信インタフェース部１０を介して、アクセスされたＵＲＬ毎に、そのアクセス元の端末の加入者識別子が対応付けられたアクセス履歴情報を、通信事業設備装置４から収集する（前述した図２のＳ２２及び図４のＳ４２の処理と同様）。収集したアクセス履歴情報は、第１のＵＲＬ抽出部１２へ出力される。
【００８１】
第１のＵＲＬ抽出部１２は、アクセス履歴情報の中で、ブログサイトサーバ３に対する閲覧者自らの投稿文ライン又はマイページでのみ実行可能なコマンドを含む第ｎ番目のＵＲＬを抽出する（前述した図２のＳ２３及びＳ４３の処理と同様）。抽出されたＵＲＬは、第２のＵＲＬ抽出部１３へ出力される。
【００８２】
第２のＵＲＬ抽出部１３は、前述のコマンドを含む第ｎ番目のＵＲＬよりも１つ前に実行された第ｎ−１番目のＵＲＬを抽出する（前述した図２のＳ２４及び図４のＳ４４の処理と同様）。抽出されたＵＲＬは、アカウント関連付け部１４へ出力される。
【００８３】
アカウント関連付け部１４は、第ｎ番目のＵＲＬ又は第ｎ−１番目のＵＲＬに含まれるアカウントと、そのＵＲＬに対応付けられた加入者識別子とを関連付ける（前述した図２のＳ２４及び図４のＳ４４の処理と同様）。関連付けられた加入者ＩＤ及びアカウントの組は、投稿文収集部１５へ出力される。
【００８４】
投稿文収集部１５は、通信インタフェース部１０を介して、ブログサイトサーバ３からアカウントに基づく投稿文を収集する。収集された投稿文は、投稿文関連付け部１６へ出力される。
【００８５】
投稿文関連付け部１６は、収集された投稿文は、アカウントに関連付けられた当該加入者ＩＤに基づくユーザによって投稿されたものであると関連付ける。
【００８６】
以上、詳細に説明したように、本発明の識別方法、識別サーバ及びプログラムによれば、ブログサイトサーバにおけるユーザのアカウントと、そのユーザの端末の加入者識別子とを関連付ける（同定する）ことができる。そのユーザの投稿文の内容を分析することによって、ユーザ所望のサービスを、そのユーザの端末へ向けて直接的に提供することができる。
【００８７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００８８】
１  識別サーバ
１０  通信インタフェース部
１１  アクセス履歴収集部
１２  第１のＵＲＬ抽出部
１３  第２のＵＲＬ抽出部
１４  アカウント関連付け部
１５  投稿文収集部
１６  投稿文関連付け部
２  端末
３  ブログサイトサーバ
４  通信事業設備装置
【図１】
0005739277.tif 000002
【図２】
0005739277.tif 000003
【図３】
0005739277.tif 000004
【図４】
0005739277.tif 000005
【図５】
0005739277.tif 000006
【図６】
0005739277.tif 000007
【図７】
0005739277.tif 000008